【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
前部と後部とを有すると共に、底面部と、前記前部に近接した正面部と、上面部と、前記後部に近接した後面部と、左側面部と、右側面部と、を備えたシャーシと；
前記左側面部に近接して前記底面部に操作可能に結合され、前記正面部よりも前記後面部により近い位置に配置された第１の車輪と；
前記右側面部に近接して前記底面部に操作可能に結合され、前記正面部よりも前記後面部により近い位置に配置された第２の車輪と；
実質的に前記右側面部の少なくとも一部と前記左側面部の少なくとも一部との間に配置されて、前記後面部の一部から後方へ張り出すプラットフォームであって、また実質的にシャーシ内に配置され、実質的に前記第１の車輪の中心と前記第２の車輪の中心の間で伸長する軸の直上方に位置する、プラットフォームと；
前記シャーシの前記底面部に操作可能に結合された、動力が付与される車輪と；
実質的に前記シャーシ内に収容され、オペレータによるアクセスが可能な部分を有する操舵機構と；
前記シャーシの底面部に近接して結合された操作可能な床処理デバイスと；
を備えた、ことを特徴とする床処理装置。
【請求項２】
前記プラットフォームは、座席を受け合い固定するのに適合している、ことを特徴とする請求項１記載の床処理装置。
【請求項３】
前記床処理デバイスは、ブラシ、磨きパッド、スキージ、及び真空装置の少なくとも１つである、ことを特徴とする請求項１記載の床処理装置。
【請求項４】
前記シャーシは、最大で、約５１インチの高さ、約２７インチの幅、及び約５２インチの長さのエンベロープを有している、ことを特徴とする請求項１記載の床処理装置。
【請求項５】
前記プラットフォームがサスペンションシステムを有している、ことを特徴とする請求項１記載の床処理装置。
【請求項６】
前記操舵機構は、実質的に環状の部材、実質的に非環状の部材、ジョイスティック、ヨーク、ハンドルバー、及び制御パネル上の制御部、の少なくとも１つを備えている、ことを特徴とする請求項１記載の床処理装置。
【請求項７】
前記シャーシに取り付けられたホース及び杖部を更に備え、該ホース及び杖部は、加圧された流体またはエアの流れを選択的に方向付けるのに適合している、ことを特徴とする請求項１記載の床処理装置。
【請求項８】
前記床処理デバイスは、動力が付与される車輪を実質的に取り囲むブラシである、ことを特徴とする請求項１記載の床処理装置。
【請求項９】
前記シャーシは、排出チャンネルを有する前部部材を備えている、ことを特徴とする請求項１記載の床処理装置。
【請求項１０】
前記左側面部と前記右側面部との間で計測したプラットフォームの長さは、当該プラットフォームの幅よりも大きい、ことを特徴とする請求項１記載の床処理装置。
【請求項１１】
前記床処理デバイスはスキージを有し、該スキージは、清掃されるべき表面から所定距離に位置する第１位置での使用と、実質的に清掃されるべき表面上に位置する第２位置での使用とが可能である、ことを特徴とする請求項１記載の床処理装置。
【請求項１２】
前記スキージは、手動操作のレバーを用いて、前記第１位置から前記第２位置へ移行する、ことを特徴とする請求項１１記載の床処理装置。
【請求項１３】
前記スキージは自動的に前記第１位置から前記第２位置へ移行させられる、ことを特徴とする請求項１１記載の床処理装置。
【請求項１４】
前記スキージは回転可能である、ことを特徴とする請求項１１記載の床処理装置。
【請求項１５】
前記プラットフォームは、スロットルと、押し下げられていないときに前記スロットを遮るオペレータ在席スイッチと、前記スロットルを有効にするためには連繋していなければならないプラットフォームスイッチとを備えている、ことを特徴とする請求項１１記載の床処理装置。
【請求項１６】
前記スロットルの絞り状態の程度に拘わらず装置がその速度レンジを越えることがない、速度レンジを設定する手段を更に有している、ことを特徴とする請求項１５記載の床処理装置。
【請求項１７】
制動機構を更に備えている、ことを特徴とする請求項１記載の床処理装置。
【請求項１８】
前記制動機構は、操舵機構の近辺に位置するコンソール、操舵機構、及びプラットフォームの少なくとも１つに連結されている、ことを特徴とする請求項１７記載の床処理装置。
【請求項１９】
前記制動機構は、手動で制御される電子機械式デバイスである、ことを特徴とする請求項１７記載の床処理装置。
【請求項２０】
前記シャーシの底面部に近接して結合された屑収集デバイスを更に備えている、ことを特徴とする請求項１記載の床処理装置。
【請求項２１】
流体分配メンバと操作可能に連通している、清浄な流体の貯留コンパートメントを更に備えている、ことを特徴とする請求項１記載の床処理装置。
【請求項２２】
流体収集システムと操作可能に連通している、予備の流体の貯留コンパートメントを更に備えている、ことを特徴とする請求項１記載の床処理装置。
【請求項２３】
流体貯留コンパートメントと化学薬品貯留コンパートメントと制御機構とを備え、該制御機構は、前記流体貯留コンパートメントからの流体を選択的に前記化学薬品貯留コンパートメントからの流体と混合させて清掃液剤を形成する、ことを特徴とする請求項１記載の床処理装置。
【請求項２４】
前記清掃液剤は流体分配メンバと連通している、ことを特徴とする請求項２３記載の床処理装置。
【請求項２５】
前部と、後部と、底面部と、前記前部に近接した正面部と、前記後部に近接した後面部と、左側面部と、右側面部と、を有するシャーシと；
前記左側面部に近接して前記底面部に操作可能に結合され、前記正面部よりも前記後面部により近い位置に配置された第１の車輪と；
前記右側面部に近接して前記底面部に操作可能に結合され、前記正面部よりも前記後面部により近い位置に配置された第２の車輪と；
実質的に前記右側面部の少なくとも一部と前記左側面部の少なくとも一部との間に配置されて、前記後面部の一部から後方へ張り出し、オペレータの体重を支えるのに適合した、プラットフォームと、
前記底面部に操作可能に結合された少なくとも第３の車輪であって、プラットフォームが、また実質的にシャーシ内に配置され、実質的に前記第１の車輪の中心と前記第２の車輪の中心の間で伸長する軸の直上方に位置する、第３の車輪と；
少なくとも部分的に前記シャーシ内に収容され、前記左側面部と右側面部のほぼ間に位置する第３の車輪に対して操作可能に連結され、前記シャーシが、他の方向に実質的に移動することなく３６０度回転できるようにする、操舵機構と；
前記底面部に連結された床処理機構と；
前記車輪の少なくとも１つに連結された動力装置と；
を備えた、ことを特徴とする床処理装置。
【請求項２６】
前記プラットフォームは、オペレータ用の座席を受け合うのに適合している、ことを特徴とする請求項２５記載の床処理装置。
【請求項２７】
前記床処理機構は、ブラシ、研磨器、スキージ、及び真空装置の少なくとも１つである、ことを特徴とする請求項２５記載の床処理装置。
【請求項２８】
前記シャーシは、最大で、約５０．７５インチの高さ、約２６．５インチの幅、及び約５１．５インチの長さのエンベロープを有している、ことを特徴とする請求項２５記載の床処理装置。
【請求項２９】
前記プラットフォームがサスペンションシステムを有している、ことを特徴とする請求項２５記載の床処理装置。
【請求項３０】
前記操舵機構は、実質的に環状の部材、実質的に非環状の部材、ジョイスティック、ヨーク、ハンドルバー、及び制御パネル上の制御部、の少なくとも１つを備えている、ことを特徴とする請求項２５記載の床処理装置。
【請求項３１】
前記シャーシに取り付けられたホース及び杖部を更に備え、該ホース及び杖部は、加圧された流体またはエアの流れを選択的に方向付けるのに適合している、ことを特徴とする請求項２５記載の床処理装置。
【請求項３２】
前記床処理機構は、前記第３の車輪を実質的に取り囲むブラシである、ことを特徴とする請求項２５記載の床処理装置。
【請求項３３】
前記シャーシは、排出チャンネルを有する前部部材を備えている、ことを特徴とする請求項２５記載の床処理装置。
【請求項３４】
前記左側面部と前記右側面部との間で計測したプラットフォームの長さは、当該プラットフォームの幅よりも大きい、ことを特徴とする請求項２５記載の床処理装置。
【請求項３５】
前記床処理機構は回転可能なスキージを有し、該スキージは、清掃されるべき表面から所定距離に位置する第１位置での使用と、実質的に清掃されるべき表面上に位置する第２位置での使用とが可能である、ことを特徴とする請求項２５記載の床処理装置。
【請求項３６】
前記回転可能なスキージは、手動操作のレバーを用いて、前記第１位置から前記第２位置へ移行する、ことを特徴とする請求項３５記載の床処理装置。
【請求項３７】
前記回転可能なスキージは自動的に前記第１位置から前記第２位置へ移行させられる、ことを特徴とする請求項３５記載の床処理装置。
【請求項３８】
前記プラットフォームは、スロットルと、押し下げられていないときに前記スロットを遮るオペレータ在席スイッチと、前記スロットルを有効にするためには連繋していなければならないプラットフォームスイッチとを備えている、ことを特徴とする請求項２５記載の床処理装置。
【請求項３９】
前記スロットルの絞り状態の程度に拘わらず装置がその速度レンジを越えることがない、速度レンジを設定する手段を更に有している、ことを特徴とする請求項３８記載の床処理装置。
【請求項４０】
制動機構を更に備えている、ことを特徴とする請求項２５記載の床処理装置。
【請求項４１】
前記制動機構は、操舵機構の近辺に位置するコンソール、操舵機構、及びプラットフォームの少なくとも１つに連結されている、ことを特徴とする請求項４０記載の床処理装置。
【請求項４２】
前記制動機構は、手動で制御される電子機械式デバイスである、ことを特徴とする請求項４０記載の床処理装置。
【請求項４３】
前記シャーシの底面部に近接して結合された屑収集デバイスを更に備えている、ことを特徴とする請求項２５記載の床処理装置。
【請求項４４】
流体分配メンバと操作可能に連通している、清浄な流体の貯留コンパートメントを更に備えている、ことを特徴とする請求項２５記載の床処理装置。
【請求項４５】
流体収集システムと操作可能に連通している、予備の流体の貯留コンパートメントを更に備えている、ことを特徴とする請求項２５記載の床処理装置。
【請求項４６】
流体貯留コンパートメントと化学薬品貯留コンパートメントと制御機構とを備え、該制御機構は、前記流体貯留コンパートメントからの流体を選択的に前記化学薬品貯留コンパートメントからの流体と混合させて清掃液剤を形成する、ことを特徴とする請求項２５記載の床処理装置。
【請求項４７】
前記清掃液剤は流体分配メンバと連通している、ことを特徴とする請求項４６記載の床処理装置。
【請求項４８】
少なくとも廃棄物容器を取り囲む囲いであって、前部と、後部と、底面部と、前記前部に近接した正面部と、前記後部に近接した後面部と、左側面部と、右側面部と、を有する囲いと；
前記左側面部に近接して前記底面部に操作可能に結合され、前記正面部よりも前記後面部により近い位置に配置された第１の車輪と；
前記右側面部に近接して前記底面部に操作可能に結合され、前記正面部よりも前記後面部により近い位置に配置された第２の車輪と；
実質的に前記右側面部の少なくとも一部と前記左側面部の少なくとも一部との間に配置されて、前記後面部の一部から後方へ張り出すプラットフォームであって、また実質的にシャーシ内に配置され、実質的に前記第１の車輪の中心と前記第２の車輪の中心の間で伸長する軸の直上方に位置する、プラットフォームと；
装置に対して操作可能に結合され、床処理装置の移動および旋回の少なくとも何れか一方が可能な駆動機構と；
前記囲い又はプラットフォームの少なくとも一方に結合された操舵アッセンブリと；
前記囲いの底面部に操作可能に結合された床処理アッセンブリと、
を備えた、ことを特徴とする床処理装置。
【請求項４９】
前記床処理アッセンブリは屑収集アッセンブリを備えている、ことを特徴とする請求項４８記載の床処理装置。
【請求項５０】
前記駆動機構は、少なくとも１つの車輪に繋がった電動モータである、ことを特徴とする請求項４８記載の床処理装置。
【請求項５１】
前記操舵手段は、少なくとも１つの操舵輪、少なくとも１つのジョイスティック、ヨーク、ハンドルバー、及び遠隔制御システムである、ことを特徴とする請求項４８記載の床処理装置。
【請求項５２】
前記床処理アッセンブリは、屑および流体を捕捉しそれらを吸引手段に向かわせるデバイスを有しており、屑および流体を捕捉する前記デバイスは、床処理装置が向きを変えるときに流体及び屑が包含される、前記囲いの底面部に回転可能に結合されている、ことを特徴とする請求項４８記載の床処理装置。
【請求項５３】
前記床処理手段は、ブラシ、スクラバー、磨きパッド、及びスキージの少なくとも１つである、ことを特徴とする請求項４８記載の床処理装置。
【請求項５４】
前記ブラシは略前記囲いの左側面部から右側面部にかけて広がり、清掃される表面に略平行な軸において回転する、ことを特徴とする請求項５３記載の床処理装置。
【請求項５５】
前記スクラバーは、清掃される表面に略垂直な軸において回転する、ことを特徴とする請求項５３記載の床処理装置。
【請求項５６】
底面部と正面部と上面部と後面部と左側面部と右側面部とを備え、オペレータの体重を支えるのに適合したプラットフォームが設けられたシャーシと；
前記シャーシの底面部に近接して操作可能に結合され、床処理装置の移動および旋回の少なくとも何れか一方が可能な、動力が付与される車輪と；
オペレータによるアクセスが可能な、前記上面部に近接した操舵機構と；
前記シャーシの底面部に近接して結合され、前記動力が付与される車輪を実質的に取り囲むブラシと；
前記シャーシの底面部に近接して結合された操作可能な屑収集デバイスと；を備え、
オペレータが前記プラットフォームから床処理装置を制御する、
ことを特徴とする床処理装置。
【請求項５７】
前記プラットフォームは、座席を受け合い固定するのに適合している、ことを特徴とする請求項５６記載の床処理装置。
【請求項５８】
前記シャーシは、最大で、約５１インチの高さ、約２７インチの幅、及び約５２インチの長さのエンベロープを有している、ことを特徴とする請求項５６記載の床処理装置。
【請求項５９】
前記プラットフォームがサスペンションシステムを有している、ことを特徴とする請求項５６記載の床処理装置。
【請求項６０】
前記操舵機構は、少なくとも１つの車輪、少なくとも１つのジョイスティック、ヨーク、ハンドルバー、及び制御パネル上の制御部を備えている、ことを特徴とする請求項５６記載の床処理装置。
【請求項６１】
前記シャーシに取り付けられたホース及び杖部を更に備え、該ホース及び杖部は、加圧された流体またはエアの流れを選択的に方向付けるのに適合している、ことを特徴とする請求項５６記載の床処理装置。
【請求項６２】
前記シャーシは、排出チャンネルを有する前部部材を備えている、ことを特徴とする請求項５６記載の床処理装置。
【請求項６３】
前記プラットフォームは、スロットルと、押し下げられていないときに前記スロットを遮るオペレータ在席スイッチと、前記スロットルを有効にするためには連繋していなければならないプラットフォームスイッチとを備えている、ことを特徴とする請求項５６記載の床処理装置。
【請求項６４】
前記スロットルの絞り状態の程度に拘わらず装置がその速度レンジを越えることがない、速度レンジを設定する手段を更に有している、ことを特徴とする請求項６３記載の床処理装置。
【請求項６５】
制動機構を更に備えている、ことを特徴とする請求項５６記載の床処理装置。
【請求項６６】
前記制動機構は、操舵機構の近辺に位置するコンソール、操舵機構、及びプラットフォームの少なくとも１つに連結されている、ことを特徴とする請求項６５記載の床処理装置。
【請求項６７】
前記制動機構は、手動で制御される電子機械式デバイスである、ことを特徴とする請求項６５記載の床処理装置。
【請求項６８】
前部と後部とを有すると共に、底面部と、前記前部に近接した正面部と、前記後部に近接した後面部と、左側面部と、右側面部と、を備えたシャーシと；
前記左側面部に近接して前記底面部に操作可能に結合され、前記正面部よりも前記後面部により近い位置に配置された第１の車輪と；
前記右側面部に近接して前記底面部に操作可能に結合され、前記正面部よりも前記後面部により近い位置に配置された第２の車輪と；
実質的にシャーシ内に配置され、前記第１の車輪の中心と前記第２の車輪の中心の間で伸長する軸の実質的に直上方に位置する、プラットフォームと；
前記左側面部と右側面部のほぼ間に位置する第３の車輪に対して操作可能に連結され、前記シャーシが、他の方向に実質的に移動することなく３６０度回転できるようにする、操舵機構と；
前記車輪の少なくとも１つに連結された動力装置と；
前記操舵輪に連繋され少なくとも部分的に前記シャーシ内に収容された操舵機構と；
前記シャーシの底面部に近接して結合された、屑収集デバイスと流体収集デバイスの少なくとも何れかと；
を備えた、ことを特徴とする床処理装置。
【請求項６９】
前記プラットフォームは、オペレータ用の座席を受け合うのに適合している、ことを特徴とする請求項６８記載の床処理装置。
【請求項７０】
前記シャーシは、最大で、約５０．７５インチの高さ、約２６．５インチの幅、及び約５１．５インチの長さのエンベロープを有している、ことを特徴とする請求項６８記載の床処理装置。
【請求項７１】
前記プラットフォームがサスペンションシステムを有している、ことを特徴とする請求項６８記載の床処理装置。
【請求項７２】
前記プラットフォームは、スロットルと、押し下げられていないときに前記スロットを遮るオペレータ在席スイッチと、前記スロットルを有効にするためには連繋していなければならないプラットフォームスイッチとを備えている、ことを特徴とする請求項６８記載の床処理装置。
【請求項７３】
前記スロットルの絞り状態の程度に拘わらず装置がその速度レンジを越えることがない、速度レンジを設定する手段を更に有している、ことを特徴とする請求項７２記載の床処理装置。
【請求項７４】
制動機構を更に備えている、ことを特徴とする請求項６８記載の床処理装置。
【請求項７５】
前記制動機構は、操舵機構の近辺に位置するコンソール、操舵機構、及びプラットフォームの少なくとも１つに連結されている、ことを特徴とする請求項７４記載の床処理装置。
【請求項７６】
前記制動機構は、手動で制御される電子機械式デバイスである、ことを特徴とする請求項７４記載の床処理装置。
【請求項７７】
流体分配メンバと操作可能に連通している、清浄な流体の貯留コンパートメントを更に備えている、ことを特徴とする請求項６８記載の床処理装置。
【請求項７８】
流体収集システムと操作可能に連通している、予備の流体の貯留コンパートメントを更に備えている、ことを特徴とする請求項６８記載の床処理装置。
【請求項７９】
流体貯留コンパートメントと化学薬品貯留コンパートメントと制御機構とを備え、該制御機構は、前記流体貯留コンパートメントからの流体を選択的に前記化学薬品貯留コンパートメントからの流体と混合させて清掃液剤を形成する、ことを特徴とする請求項６８記載の床処理装置。
【請求項８０】
前記清掃液剤は流体分配メンバと連通している、ことを特徴とする請求項７９記載の床処理装置。
【請求項８１】
前部と、後部と、底面部と、前記前部に近接した正面部と、前記後部に近接した後面部と、左側面部と、右側面部と、プラットフォームと、を有するシャーシと；
少なくとも部分的に前記シャーシの重量を支える、少なくとも第１の車輪、第２の車輪および第３の車輪と；
前記シャーシの底面部に近接して結合された、屑収集デバイスと流体収集デバイスの少なくとも何れかと；
少なくとも１つの車輪に連繋した動力源と；
オペレータが装置を操舵できるように、少なくとも１つの車輪に操作可能に連繋した機構と；を備え、
前記プラットフォームは、実質的に前記操舵機構の下方で、実質的に装置の後部に向けて配設された第１および第２の車輪の中心間に伸長する軸の実質的に直上方に、配置されている、
ことを特徴とする床処理装置。
【請求項８２】
前記シャーシは、清掃液剤を保持するタンクを備えている、ことを特徴とする請求項８１記載の床処理装置。
【請求項８３】
前記シャーシは、回収された液体を受容するタンクを備えている、ことを特徴とする請求項８１記載の床処理装置。
【請求項８４】
前記プラットフォームは、オペレータ用の座席を受け合うのに適合している、ことを特徴とする請求項８１記載の床処理装置。
【請求項８５】
前記床処理デバイスは、ブラシ、研磨器、スキージ、真空装置、及び屑収集デバイスの少なくとも１つである、ことを特徴とする請求項８１記載の床処理装置。
【請求項８６】
前記シャーシは、最大で、約５０インチの高さ、約２６インチの幅、及び約５１インチの長さのエンベロープを有している、ことを特徴とする請求項８１記載の床処理装置。
【請求項８７】
前記プラットフォームは、スロットルと、押し下げられていないときに前記スロットを遮るオペレータ在席スイッチと、前記スロットルを有効にするためには連繋していなければならないプラットフォームスイッチとを備えている、ことを特徴とする請求項８１記載の床処理装置。
【請求項８８】
前記プラットフォームがサスペンションシステムを有している、ことを特徴とする請求項８１記載の床処理装置。
【請求項８９】
制動機構を更に備えている、ことを特徴とする請求項８１記載の床処理装置。
【請求項９０】
前記操舵機構の近辺に位置するコンソール、操舵機構、及びプラットフォームの少なくとも１つに連結されている制動機構を更に備えている、ことを特徴とする請求項８１記載の床処理装置。
【請求項９１】
手動で制御される電子機械式デバイスである制動機構を更に備えている、ことを特徴とする請求項８１記載の床処理装置。
【請求項９２】
前記操舵機構は、実質的に環状の部材、実質的に非環状の部材、ジョイスティック、ヨーク、ハンドルバー、及び制御パネル上の制御部、の少なくとも１つを備えている、ことを特徴とする請求項８１記載の床処理装置。
【請求項９３】
前記シャーシに取り付けられた杖部およびホースを更に備え、該杖部およびホースは、加圧された流体またはエアの流れを、清掃されるべき表面の所望の位置へ選択的に方向付けるのに適合している、ことを特徴とする請求項８１記載の床処理装置。
【請求項９４】
前記シャーシは、排出チャンネルを有する部材を備えている、ことを特徴とする請求項８１記載の床処理装置。
【請求項９５】
前記座席は、左側部および右側部の何れかに連結され、前記プラットフォームの上方に位置している、ことを特徴とする請求項８１記載の床処理装置。
【請求項９６】
前記座席は、折り畳み姿勢および非折り畳み姿勢の少なくとも一方の姿勢にあるのに適合している、ことを特徴とする請求項９５記載の床処理装置。
【請求項９７】
前記研磨デバイスは、前記シャーシの底面部に近接して結合されている、ことを特徴とする請求項８１記載の床処理装置。
【請求項９８】
流体分配メンバと操作可能に連通している、清浄な流体の貯留コンパートメントを更に備えている、ことを特徴とする請求項８１記載の床処理装置。
【請求項９９】
流体収集システムと操作可能に連通している、予備の流体の貯留コンパートメントを更に備えている、ことを特徴とする請求項８１記載の床処理装置。
【請求項１００】
流体貯留コンパートメントと化学薬品貯留コンパートメントと制御機構とを備え、該制御機構は、前記流体貯留コンパートメントからの流体を選択的に前記化学薬品貯留コンパートメントからの流体と混合させて清掃液剤を形成する、ことを特徴とする請求項８１記載の床処理装置。
【請求項１０１】
前記清掃液剤は流体分配メンバと連通している、ことを特徴とする請求項１００記載の床処理装置。
【請求項１０２】
少なくとも１つの前輪と、少なくとも２つの後輪と、底面部と、を有するシャーシと；
機械に移動をもたらす駆動機構であって、前記シャーシ内に収容され少なくとも１つの車輪に連結された駆動機構と；
実質的に前記シャーシ内に位置し、少なくとも２つの後輪の中心間に伸長する軸の実質的に直上方で、実質的に前記シャーシ内に収容された操舵機構の実質的に下方に、配置されているプラットフォームと；
前記底面部に近接して結合された、屑収集デバイスと流体収集デバイスの少なくとも何れかと；
を備えた、ことを特徴とする床清掃機。
【請求項１０３】
前記シャーシは、清掃液剤を保持するタンクを備えている、ことを特徴とする請求項１０２記載の床清掃機。
【請求項１０４】
前記シャーシは、回収された液体を受容するタンクを備えている、ことを特徴とする請求項１０２記載の床清掃機。
【請求項１０５】
前記プラットフォームは、オペレータ用の座席を受け合うのに適合している、ことを特徴とする請求項１０２記載の床清掃機。
【請求項１０６】
ブラシ及び研磨器の少なくとも１つである床処理機構を更に有している、ことを特徴とする請求項１０２記載の床清掃機。
【請求項１０７】
前記シャーシは、最大で、約５０インチの高さ、約２６インチの幅、及び約５１インチの長さのエンベロープを有している、ことを特徴とする請求項１０２記載の床清掃機。
【請求項１０８】
前記プラットフォームは、スロットルと、押し下げられていないときに前記スロットを遮るオペレータ在席スイッチと、前記スロットルを有効にするためには連繋していなければならないプラットフォームスイッチとを備えている、ことを特徴とする請求項１０２記載の床清掃機。
【請求項１０９】
前記プラットフォームがサスペンションシステムを有している、ことを特徴とする請求項１０２記載の床清掃機。
【請求項１１０】
制動機構を更に備えている、ことを特徴とする請求項１０２記載の床清掃機。
【請求項１１１】
前記操舵機構の近辺に位置するコンソール、操舵機構、及びプラットフォームの少なくとも１つに連結されている制動機構を更に備えている、ことを特徴とする請求項１０２記載の床清掃機。
【請求項１１２】
手動で制御される電子機械式デバイスである制動機構を更に備えている、ことを特徴とする請求項１０２記載の床清掃機。
【請求項１１３】
前記操舵機構は、実質的に環状の部材、実質的に非環状の部材、ジョイスティック、ヨーク、ハンドルバー、及び制御パネル上の制御部、の少なくとも１つを備えている、ことを特徴とする請求項１０２記載の床清掃機。
【請求項１１４】
前記シャーシに取り付けられたホース及び杖部を更に備え、該ホース及び杖部は、加圧された流体またはエアの流れを、清掃されるべき表面の所望の位置へ選択的に方向付けるのに適合している、ことを特徴とする請求項１０２記載の床清掃機。
【請求項１１５】
前記シャーシは、排出チャンネルを有する部材を備えている、ことを特徴とする請求項１０２記載の床清掃機。
【請求項１１６】
前記座席は前記プラットフォームの上方に位置している、ことを特徴とする請求項１０２記載の床清掃機。
【請求項１１７】
前記座席は、折り畳み姿勢および非折り畳み姿勢の少なくとも一方の姿勢にあるのに適合している、ことを特徴とする請求項１１６記載の床清掃機。
【請求項１１８】
前記シャーシの底面部に近接して結合された屑収集デバイスを更に有している、ことを特徴とする請求項１０２記載の床清掃機。
【請求項１１９】
流体分配メンバと操作可能に連通している、清浄な流体の貯留コンパートメントを更に備えている、ことを特徴とする請求項１０２記載の床清掃機。
【請求項１２０】
流体収集システムと操作可能に連通している、予備の流体の貯留コンパートメントを更に備えている、ことを特徴とする請求項１０２記載の床清掃機。
【請求項１２１】
流体貯留コンパートメントと化学薬品貯留コンパートメントと制御機構とを備え、該制御機構は、前記流体貯留コンパートメントからの流体を選択的に前記化学薬品貯留コンパートメントからの流体と混合させて清掃液剤を形成する、ことを特徴とする請求項１０２記載の床清掃機。
【請求項１２２】
前記清掃液剤は流体分配メンバと連通している、ことを特徴とする請求項１２１記載の床清掃機。
【請求項１２３】
前部と後部とを有すると共に、底面部と、前記前部に近接した正面部と、前記後部に近接した後面部と、左側面部と、右側面部と、を備えたシャーシと；
前記左側面部に近接して前記底面部に操作可能に結合され、前記正面部よりも前記後面部により近い位置に配置された第１の車輪と；
前記右側面部に近接して前記底面部に操作可能に結合され、前記正面部よりも前記後面部により近い位置に配置された第２の車輪と；
実質的にシャーシ内に配置され、前記第１の車輪の中心と前記第２の車輪の中心の間で伸長する軸の実質的に直上方に位置する、プラットフォームと；
前記左側面部と右側面部のほぼ間に位置する第３の車輪に対して操作可能に連結され、前記シャーシが、他の方向に実質的に移動することなく３６０度回転できるようにする、操舵機構と；
前記車輪の少なくとも１つに連結された動力装置と；
を備えた、ことを特徴とする床処理装置。
【請求項１２４】
前記シャーシは、最大で、約５０．７５インチの高さ、約２６．５インチの幅、及び約５１．５インチの長さのエンベロープを有している、ことを特徴とする請求項１２３記載の床処理装置。
【請求項１２５】
前記プラットフォームがサスペンションシステムを有している、ことを特徴とする請求項１２３記載の床処理装置。
【請求項１２６】
前記プラットフォームは、スロットルと、押し下げられていないときに前記スロットを遮るオペレータ在席スイッチと、前記スロットルを有効にするためには連繋していなければならないプラットフォームスイッチとを備えている、ことを特徴とする請求項１２３記載の床処理装置。
【請求項１２７】
制動機構を更に備えている、ことを特徴とする請求項１２３記載の床処理装置。
【請求項１２８】
前記シャーシの底面部に近接して結合された屑収集デバイスを更に有している、ことを特徴とする請求項１２３記載の床処理装置。
【請求項１２９】
前部と、後部と、底面部と、前記前部に近接した正面部と、前記後部に近接した後面部と、左側面部と、右側面部と、プラットフォームと、を有するシャーシと；
少なくとも部分的に前記シャーシの重量を支える、少なくとも第１の車輪、第２の車輪および第３の車輪と；
前記底面部に近接して結合された床処理機構と；
少なくとも１つの車輪に連繋した動力源と；
オペレータが装置を操舵できるように、少なくとも１つの車輪に操作可能に連繋した機構であって、前記シャーシが、他の方向に実質的に移動することなく３６０度回転できるようにする、機構と；を備え、
前記プラットフォームは、実質的に前記操舵機構の下方で、実質的に装置の後部に向けて配設された第１および第２の車輪の中心間に伸長する軸の実質的に直上方に、配置されている、
ことを特徴とする床処理装置。
【請求項１３０】
前記床処理機構は、ブラシ、研磨器、スキージ、真空装置、及び屑収集デバイスの少なくとも１つである、ことを特徴とする請求項１２９記載の床処理装置。
【請求項１３１】
前記シャーシは、最大で、約５０インチの高さ、約２６インチの幅、及び約５１インチの長さのエンベロープを有している、ことを特徴とする請求項１２９記載の床処理装置。
【請求項１３２】
前記プラットフォームは、スロットルと、押し下げられていないときに前記スロットを遮るオペレータ在席スイッチと、前記スロットルを有効にするためには連繋していなければならないプラットフォームスイッチとを備えている、ことを特徴とする請求項１２９記載の床処理装置。
【請求項１３３】
前記シャーシの底面部に近接して結合された屑収集デバイスを更に有している、ことを特徴とする請求項１２９記載の床処理装置。
【請求項１３４】
流体貯留コンパートメントと化学薬品貯留コンパートメントと制御機構とを備え、該制御機構は、前記流体貯留コンパートメントからの流体を選択的に前記化学薬品貯留コンパートメントからの流体と混合させて清掃液剤を形成する、ことを特徴とする請求項１２９記載の床処理装置。
【請求項１３５】
少なくとも１つの前輪と少なくとも２つの後輪とを有するシャーシと；
機械に移動をもたらす駆動機構であって、前記シャーシ内に収容され少なくとも１つの車輪に連結された駆動機構と；
実質的に前記シャーシ内に位置し、少なくとも２つの後輪の中心間に伸長する軸の実質的に直上方で、前記シャーシ内に収容された操舵機構の実質的に下方に、配置されているプラットフォームと；
前記底面部に近接して結合された、屑収集デバイスと流体収集デバイスの少なくとも何れかと；を備え、
前記シャーシは、他の方向に実質的に移動することなく、３６０度回転することができる、
ことを特徴とする床清掃機。
【請求項１３６】
前記床処理機構は、ブラシ、研磨器、スキージ、真空装置、及び屑収集デバイスの少なくとも１つである、ことを特徴とする請求項１３５記載の床清掃機。
【請求項１３７】
前記プラットフォームは、スロットルと、押し下げられていないときに前記スロットを遮るオペレータ在席スイッチと、前記スロットルを有効にするためには連繋していなければならないプラットフォームスイッチとを備えている、ことを特徴とする請求項１３５記載の床清掃機。
【請求項１３８】
清掃システムと；
少なくとも１つの前輪と；
少なくとも２つの後輪と；
駆動機構と；を備え、
前記駆動機構は電動モノホイール（monowheel）駆動であり、オペレータは、機械の２つの後輪間の幾何学上の中心軸に沿って配置されたプラットフォーム上に立っている、
ことを特徴とする床清掃機。
【請求項１３９】
前記プラットフォームと床との間の最大の上下方向の間隔は１０２ミリメートルである、ことを特徴とする請求項１３８記載の床清掃機。
【請求項１４０】
前記後輪は、駆動モータによって独立して駆動される、ことを特徴とする請求項１３８記載の床清掃機。
【請求項１４１】
前記前輪は、駆動モータによって駆動される操舵輪である、ことを特徴とする請求項１３８記載の床清掃機。
【請求項１４２】
前記２つの後輪は独立して懸下されている、ことを特徴とする請求項１３８記載の床清掃機。